(57)【特許請求の範囲】
【請求項１】
揺動可能に保持されたキートップと、円周上に配設された複数の周辺固定接点が形成された絶縁基板と、前記周辺固定接点に接離する複数の周辺可動接点が形成された弾性シートとを備え、前記周辺固定接点と前記周辺可動接点とで複数の周辺スイッチを構成すると共に、前記絶縁基板と前記キートップの間で、前記円周の略中央部には、該キートップが押圧されることにより操作される中央スイッチが形成され、
前記弾性シートには前記周辺可動接点間に貫通部が形成されると共に、前記キートップには前記貫通部に挿入される脚部が形成され、前記キートップの揺動動作時、前記周辺スイッチが操作されると共に、前記脚部が前記絶縁基板に当接して、前記キートップの揺動が規制されることを特徴とする多方向入力装置。
【請求項２】
前記脚部には係合爪が形成され、前記貫通部に挿入された前記係合爪が前記貫通部の周辺で前記弾性シートに係止されていることを特徴とする請求項１に記載の多方向入力装置。
【請求項３】
前記複数の周辺スイッチは、前記中央スイッチを挟むように十字状に４個設けられ、前記脚部は前記周辺スイッチ間の周方向における略中間部で４箇所設けられたことを特徴とする請求項１、又は２に記載の多方向入力装置。
【請求項４】
前記中央スイッチが操作されるのに必要な作動力を前記周辺スイッチが操作されるのに必要な作動力よりも重くしたことを特徴とする請求項１〜３の何れかに記載の多方向入力装置。
【請求項５】
前記中央スイッチは、中央固定接点と、該中央固定接点に接離する中央可動接点とを有し、前記中央可動接点と前記キートップの間には、弾性を有する緩衝部材が配設され、前記キートップの揺動動作時、前記緩衝部材が押圧方向の加重を吸収するようにしたことを特徴とする請求項１〜４の何れかに記載の多方向入力装置。
【請求項６】
前記中央スイッチは、筐体と、前記筐体内に収納される前記中央固定接点及び前記中央可動接点と、前記筐体から露出し前記緩衝部材からなるステムとを備えた単体のスイッチ部品から構成され、該中央スイッチが前記絶縁基板上に載置されて取付られると共に、前記ステムが前記キートップによって押圧されて前記中央スイッチが操作されることを特徴とする請求項５に記載の多方向入力装置。
【請求項７】
開口部を設けた上壁部と、該上壁部で仕切られた収納部とを有するハウジングを備え、前記キートップは操作部と、該操作部から径方向に延びるフランジ部を有し、
前記キートップは、前記開口部から露出した状態で前記収納部に収納され、このキートップの揺動動作時、前記フランジ部が前記上壁部の裏面に当接することで、前記キートップの揺動が規制されることを特徴とする請求項１〜６の何れかに記載の多方向入力装置。
【発明の詳細な説明】
【０００１】
【発明の属する技術分野】
本発明は、携帯電話等の電子機器の入力装置に好適に使用され、キートップの揺動動作により電気信号を出力し、また、キートップの押圧操作により他の電気信号を出力する多方向入力装置に関する。
【０００２】
【従来の技術】
従来の多方向入力装置の図面を説明すると、図１２は従来の多方向入力装置の分解斜視図、図１３は従来の多方向入力装置の動作説明図である。
【０００３】
従来の多方向入力装置を図１２、図１３に基づいて説明すると、絶縁基板５１は薄板状からなり、その上面には中央固定接点５２が形成されると共に、この中央固定接点５２を中心とした同心円上には十字状に４個の周辺固定接点５３が形成されている。
【０００４】
弾性シート５４は、弾性を有するゴム製からなり、薄板状の基部５４ａと、この基部５４ａと一体になって突出した中央凸部５４ｂと、この中央凸部５４ｂを中心とした同心円上に十字状に配置され、上方に突出する４個の周辺凸部５４ｃとを有している。また、中央凸部５４ｂの下面には中央可動接点５５が形成されており、周辺凸部５４ｃの下面には周辺可動接点５６が形成されている。
【０００５】
このような弾性シート５４は、絶縁基板５１上に載置され、中央固定接点５２と中央可動接点５５とで、中央スイッチＳ１が構成され、各周辺固定接点５３と周辺可動接点５６とで周辺スイッチＳ２が構成されている。
【０００６】
キートップ５７は、略円筒状の操作部５７ａと、この操作部５７ａの下縁部から径方向に延びて形成されたフランジ部５７ｂと、操作部５７ａの中央から下方に延びて形成された筒部５７ｃとを有する。このようなキートップ５７は、弾性シート５４上に配置され、筒部５７ｃが中央凸部５４ｂに挿入されることによって保持されると共に、フランジ部５７ｂが周辺凸部５４ｃと所定のギャップＧ（図示せず）を保って対向した状態になっている。
【０００７】
ハウジング５８は、合成樹脂の成型品からなり、上壁部５８ａと、側壁部５８ｂと、この上壁部５８ａ、側壁部５８ｂとで囲まれて形成された収納部５８ｃと、上壁部５８ａに形成された円状の開口部５８ｄとを有する。このようなハウジング５８は、絶縁基板５１にカシメ等の手段で取り付けられて、収納部５８ｃ内に弾性シート５４と、キートップ５７の一部が収納され、キートップ５７の操作部５７ａが開口部５８ｄから露出して上方に突出した状態になっている。
【０００８】
次に、従来の多方向入力装置の動作について説明すると、キートップ５７が揺動されると、中央凸部５４ｂが弾性変形すると共に、フランジ部５７ｂによって、周辺凸部５４ｃが押圧されて座屈し、周辺可動接点５６と周辺固定接点５３とが接触して、周辺スイッチＳ２がＯＮ状態となり、方位検出信号が出力される。また、キートップ５７への操作力が解除されると、周辺凸部５４ｃ、及び中央凸部５４ｂが弾性復帰して、キートップ５７が原状位置に復帰する。
【０００９】
また、キートップ５７が下方に押圧されると、中央凸部５４ｂが押圧されて、中央可動接点５５と中央固定接点５２とが接触して、中央スイッチＳ１がＯＮ状態となり、プッシュスイッチ信号が出力される。このとき、キートップ５７のフランジ部５７ｂが、周辺凸部５４ｃも接触状態となるが、フランジ部５７ｂの下面と周辺凸部５４ｃとのギャップＧを適切に設定してあるため、中央スイッチＳ１のみが操作されるようになっている。また、キートップ５７への押圧力が解除されると、中央凸部５４ｂが弾性復帰して、キートップ５７が原状位置に復帰する。
【００１０】
【発明が解決しようとする課題】
従来の多方向入力装置は、上記のような構成、動作をするが、ギャップＧを適切に設定することにより、スイッチＳ１、Ｓ２の誤操作を防止しているが、多方向入力装置は小型化が通常要求され、ギャップＧ精度で誤入力を防止するには自ずと限界がある。そして、キートップ５７への揺動動作力が予想以上に大きい場合は、中央凸部５４ｂが座屈して、中央スイッチＳ１が操作されてしまう問題がある。
【００１１】
本発明の多方向入力装置は、かかる課題に鑑みてなされたものであり、キートップに脚部を設け、キートップの必要以上の揺動動作を規制することにより、中央スイッチの誤操作を確実に防止できる多方向入力装置を提供することを目的とする。
【００１２】
【課題を解決するための手段】
上記課題を解決するための第１の手段として、本発明の多方向入力装置は、揺動可能に保持されたキートップと、円周上に配設された複数の周辺固定接点が形成された絶縁基板と、前記周辺固定接点に接離する複数の周辺可動接点が形成された弾性シートとを備え、前記周辺固定接点と前記周辺可動接点とで複数の周辺スイッチを構成すると共に、前記絶縁基板と前記キートップの間で、前記円周の略中央部には、該キートップが押圧されることにより操作される中央スイッチが形成され、前記弾性シートには前記周辺可動接点間に貫通部が形成されると共に、前記キートップには前記貫通部に挿入される脚部が形成され、前記キートップの揺動動作時、前記周辺スイッチが操作されると共に、前記脚部が前記絶縁基板に当接して、前記キートップの揺動が規制される構成とした。
【００１３】
また、第２の解決手段として、本発明の多方向入力装置の前記脚部には係合爪が形成され、前記貫通部に挿入された前記係合爪が前記貫通部の周辺で前記弾性シートに係止されている構成とした。
【００１４】
また、第３の解決手段として、本発明の多方向入力装置の前記複数の周辺スイッチは、前記中央スイッチを挟むように十字状に４個設けられ、前記脚部は前記周辺スイッチ間の周方向における略中間部で４箇所設けられた構成とした。
【００１５】
また、第４の解決手段として、本発明の多方向入力装置の前記中央スイッチが操作されるのに必要な作動力を前記周辺スイッチが操作されるのに必要な作動力よりも重くした構成とした。
【００１６】
また、第５の解決手段として、本発明の多方向入力装置の前記中央スイッチは、中央固定接点と、該中央固定接点に接離する中央可動接点とを有し、前記中央可動接点と前記キートップの間には、弾性を有する緩衝部材が配設され、前記キートップの揺動動作時、前記緩衝部材が押圧方向の加重を吸収するようにした構成とした。
【００１７】
また、第６の解決手段として、本発明の多方向入力装置の前記中央スイッチは、筐体と、前記筐体内に収納される前記中央固定接点及び前記中央可動接点と、前記筐体から露出し前記緩衝部材からなるステムとを備えた単体のスイッチ部品から構成され、該中央スイッチが前記絶縁基板上に載置されて取付られると共に、前記ステムが前記キートップによって押圧されて前記中央スイッチが操作される構成とした。
【００１８】
また、第７の解決手段として、本発明の多方向入力装置の開口部を設けた上壁部と、該上壁部で仕切られた収納部とを有するハウジングを備え、前記キートップは操作部と、該操作部から径方向に延びるフランジ部を有し、前記キートップは、前記開口部から露出した状態で前記収納部に収納され、このキートップの揺動動作時、前記フランジ部が前記上壁部の裏面に当接することで、前記キートップの揺動が規制される構成とした。
【００１９】
【発明の実施の形態】
本発明の多方向入力装置の図面について説明すると、図１は本発明の多方向入力装置の断面図、図２は本発明の多方向入力装置の別の角度から見た断面図、図３は本発明の多方向入力装置にかかる中央スイッチが取り付けられた絶縁基板の上面図、図４は本発明の多方向入力装置にかかる弾性シートの上面図、図５は図４の５−５線における断面図、図６は図４の６−６線における断面図、図７は本発明の多方向入力装置にかかるキートップの上面図、図８は図７の８−８線における断面図、図９は図７の９−９線における断面図、図１０、１１は本発明の多方向入力装置の動作説明図である。
【００２０】
本発明の多方向入力装置を図１〜図１１に基づいて説明すると、絶縁基板１は矩形状のリジッドな板材からなり、中央近傍に十字状に４箇所形成された通孔１ａを有している。この絶縁基板１には、同心円状すなわち円周上で周辺固定接点２が形成されている。本実施の形態では周方向に９０度間隔で十字状に４個の周辺固定接点２が印刷形成されている。なお、三角形、八角形をなすように周辺固定接点２を形成しても良い。
【００２１】
中央スイッチＳ３は、単体のスイッチ部品から構成され、本実施の形態ではクリック感触付き押し釦スイッチを用いている。この中央スイッチＳ３は、合成樹脂製の筐体３と、筐体３の底壁部３ａ上にインサート成形されて露出する中央固定接点４と、ドーム状の板バネからなり、該中央固定接点４上に載置され、この中央固定接点４に接離可能で電気信号を出力する中央可動接点５と、弾性を有する材質、本実施の形態ではゴム製からなる円柱状のステム６とから構成されている。また、この中央スイッチＳ３は、中央可動接点５の板厚を厚くしたり、径を小さくすることで作動力を高めるようにしている。このような中央スイッチＳ３は、底壁部３ａに形成され、前記一対の中央固定接点４にそれぞれ導通する複数の端子部３ｂが絶縁基板１にカシメられることで、絶縁基板１に取り付けられる。
【００２２】
弾性シート７は、矩形状の薄いゴムシートからなり、薄板状の基部７ａと、中央に形成された貫通孔７ｂと、この貫通孔７ｂの周辺に４箇所形成され、基部７ａと一体に形成されているスカート状部分（円錐状部分）を備えた略円柱状の第１の周辺凸部７ｃと、この第１の周辺凸部７ｃ同士の周方向における中間部に形成されて、基部７ａと一体に形成されている略台形錐状の第２の周辺凸部７ｄと、貫通孔７ｂの外周縁から下方に突出するように４箇所に形成された突起７ｅとを有している。また、第１の周辺凸部７ｃの下面には、周辺可動接点８が印刷形成されており、第２の周辺凸部７ｄには上下に貫通する貫通部７ｆが形成されている。なお、この貫通部７ｆは、本実施の形態では貫通孔から形成されているが、弾性シート７を切り欠いて形成された切欠部から構成しても構わない。さらに、弾性シート７はゴムシートの他に、軟性プラスチック（エラストマー）等の弾性を有する物質を使用しても良い。
【００２３】
このような弾性シート７は、突起７ｅが絶縁基板１の通孔１ａに挿通された状態で、絶縁基板１上に載置されて横ズレが防止されている。また、弾性シート７が載置されると、周辺可動接点８と周辺固定接点２とが対向して、周辺スイッチＳ４を構成し、第１の周辺凸部７ｃの外周に位置するスカート状部分（円錐状部分）が座屈することで、周辺可動接点８と周辺固定接点２とが接触して電気信号を出力するようになっている。この周辺スイッチＳ４は、第１の周辺凸部７ｃが座屈することで操作されるものであるので、金属製の板バネが反転することで操作される中央スイッチＳ３に比べて、操作されるために必要な作動力が小さくなっている。また、貫通孔７ｂ内には中央スイッチＳ３が配置された状態になっている。
【００２４】
キートップ９は、略円筒状の操作部９ａと、この操作部９ａの下縁部から径方向に延びて形成されたフランジ部９ｂと、該フランジ部９ｂから下方に突出して形成された脚部９ｃとを有し、脚部９ｃの端部には鉤状になった係合爪９ｄが形成されている。この脚部９ｃは周方向に等間隔（９０度間隔）に４本設けられている。また、操作部９ａの下面の中央には隆起部９ｅが形成されている。
【００２５】
このようなキートップ９は、弾性シート７上に保持され、図１、図２に示すように、フランジ部９ｂが、第１、第２の周辺凸部７ｃ、７ｄ上に載置されると共に、脚部９ｃが第２の周辺凸部７ｄの貫通部７ｆに挿入され、係合爪９ｄがこの貫通部７ｆの周辺で弾性シート７に係止された状態になっている。こうして、係合爪９ｄが係止されることによって、キートップ９が確実に保持される。また、キートップ９の隆起部９ｅは、中央スイッチＳ３のステム６の頂面に当接している。
【００２６】
ハウジング１０は、合成樹脂の成型品からなり、上壁部１０ａと、側壁部１０ｂと、この上壁部１０ａ、側壁部１０ｂとで囲まれて形成された収納部１０ｃと、上壁部１０ａに形成された円状の開口部１０ｄとを有する。このようなハウジング１０は、絶縁基板１にカシメ等の手段で取り付けられて、収納部１０ｃ内に弾性シート７と、中央スイッチＳ３と、キートップ９の一部が収納され、キートップ９の操作部９ａが開口部１０ｄから露出して上方に突出した状態になっている。
【００２７】
そして、キートップ９の操作部９ａが揺動動作されると、中央スイッチＳ３（ステム６）と、キートップ９の隆起部９ｅとの当接部分を支点としてキートップ９が傾き、フランジ部９ｂによって第１の周辺凸部７ｃが座屈して、周辺可動接点８と周辺固定接点２とが接触して周辺スイッチＳ４が操作されてＯＮ状態になるようになっている（図１１参照）。このとき、フランジ部９ｂにより第２の周辺凸部７ｄ（座屈した第１の周辺凸部７ｃに隣接する、すなわち、周方向に略４５度隔てた位置にある第２の周辺凸部７ｄ）も座屈して、脚部９ｃが絶縁基板１に当接して、必要以上にキートップ９が傾かないようになっている（図１０参照）。このようにすることで、必要以上にキートップ９が傾かないので、支点となる隆起部９ｅによってステム６が押圧されて、中央スイッチＳ３が操作される危険性が低減する。
【００２８】
また、仮に、隆起部９ｅからステム６に押圧する加重が加わっても、中央スイッチＳ３の作動力が周辺スイッチＳ４の作動力よりも大きくなっているので、周辺スイッチＳ４が操作される程度での加重では、中央スイッチＳ３が操作されることはない。
【００２９】
さらに、ステム６は弾性を有しているので、隆起部９ｅにより押圧力を受けても、このステム６が緩衝部材となって押圧力を吸収して、中央可動接点５にダイレクトに加重が加わらないようになっており、中央スイッチＳ３が操作される危険性がさらに低減する。加えて、キートップ９が揺動動作されると、傾いた方向と逆方向のフランジ部９ｂがハウジング１０の上壁部１０ａの裏面に当接するので、当接状態以上にキートップ９が傾倒することはなく、隆起部９ｅによってステム６が押圧されて、中央スイッチＳ３が操作される危険性が低減する。
【００３０】
また、キートップ９が揺動動作されると、図１０に示すように、傾倒方向と反対側の脚部９ｃの係合爪９ｄが第２の周辺凸部７ｄと共に上方に引っ張られるので、弾性シート７から脚部９ｃが抜けることがない。また、キートップ９の中央部が下方に押圧されると、隆起部９ｅによってステム６が押圧されて下方に移動し、中央可動接点５が反転して、中央スイッチＳ３が操作されＯＮ状態になるようになっている。このとき、中央可動接点５は金属製の板バネによって構成されているので、中央スイッチＳ３がＯＮするのに必要なストロークは短いため、誤って周辺スイッチＳ４がＯＮしてしまう恐れは低い。
【００３１】
本発明の多方向入力装置は、上記のような構成を有し、例えば携帯電話の入力部に使用され、例えば、キートップ９が周辺スイッチＳ４方向に傾倒されると、周辺スイッチＳ４がＯＮとなると共に、傾倒側に位置する２本の脚部９ｃが絶縁基板１に当接して、それ以上のキートップ９の傾倒が規制される。そして、電気信号が図示せぬマイコンに入力されて傾倒方向が認識できるようになっている。また、操作力が解除されると、第１、第２の周辺凸部７ｃ、７ｄが弾性復帰して、フランジ部９ｂが押圧されて、キートップ９が原状位置に復帰する。
【００３２】
また、キートップ９が下方に押圧されると、中央可動接点５が反転して中央スイッチＳ３がＯＮとなり、電気信号が図示せぬマイコンに入力されて中央スイッチがＯＮとなったことが認識できるようになっている。また、中央可動接点５が反転する際に、クリック感が生起されるので、操作者は中央スイッチＳ３を操作したいときに、中央スイッチＳ３が確実に操作されたことを認識できる。また、押圧力が解除されると、中央可動接点５が反転し、キートップ９が上方に押圧されて元の位置に復帰する。
【００３３】
また、キートップ９が脚部９ｃ方向に傾倒された場合、脚部９ｃの長さを適切に設定することによって、この脚部９ｃを挟んだ２つの周辺スイッチＳ４がＯＮとなり、傾倒方向の脚部９ｃが絶縁基板１に当接して、それ以上のキートップ９の傾倒が規制される。そして、電気信号が図示せぬマイコンに入力されて傾倒方向が認識できるようにすることも可能である。また、操作力が解除されると、第１、第２の周辺凸部７ｃ、７ｄが弾性復帰して、フランジ部９ｂが押圧されて、キートップ９が原状位置に復帰する。
【００３４】
本発明の多方向入力装置は、上記のようは構成、動作をするが、上記形態に限られないことはいうまでもなく、上記実施の形態では、ステム６と緩衝部材が一体になっている例で説明したが、これらを別体で構成しても良い。また、中央スイッチはクリック感触付き押し釦スイッチを使用する例で説明したが、クリック感を生起しないスイッチでも代替可能である。さらに、中央スイッチは、単体のスイッチ部品である必要はなく、周辺スイッチと同様、中央固定接点を絶縁基板上に形成しその上に金属製の板バネからなる中央可動接点を保持テープ等で取り付けるようにしても良い。そして、この場合には貫通孔７ｂを有しない弾性シートを中央スイッチ上に配置して緩衝部材とすることもできる。
【００３５】
【発明の効果】
本発明の多方向入力装置の弾性シートには周辺可動接点間に貫通部が形成されると共に、キートップには貫通部に挿入される脚部が形成され、キートップの揺動動作時、周辺スイッチが操作されると共に、脚部が絶縁基板に当接して、キートップの揺動が規制される構成としたため、必要以上にキートップが揺動しないので、中央スイッチが誤操作される危険性が低減して、信頼性の高い多方向入力装置を提供することができる。
【００３６】
また、本発明の多方向入力装置の脚部には係合爪が形成され、貫通部に挿入された係合爪が貫通部の周辺で弾性シートに係止されている構成としたため、キートップの揺動動作時に該キートップが抜け落ちることが防止され、信頼性の高い多方向入力スイッチを提供することができる。また、弾性シートにのみよってキートップを保持させることが可能であるので、組立工程等を工夫することができ、量産性の高い多方向入力装置を提供することができる。
【００３７】
また、本発明の多方向入力装置の複数の周辺スイッチは、中央スイッチを挟むように十字状に４個設けられ、脚部は周辺スイッチ間の周方向における略中間部で４箇所設けられた構成としたため、安定してキートップの揺動を規制することができるので、操作性の良好な多方向入力装置を提供することができる。
【００３８】
また、本発明の多方向入力装置の中央スイッチが操作されるのに必要な作動力を周辺スイッチが操作されるのに必要な作動力よりも重くした構成としたため、中央スイッチが誤操作されにくくなるので、信頼性の高い多方向入力装置を提供することができる。
【００３９】
また、本発明の多方向入力装置の中央スイッチは、中央固定接点と、該中央固定接点に接離する中央可動接点とを有し、中央可動接点とキートップの間には、弾性を有する緩衝部材が配設され、キートップの揺動動作時、緩衝部材が押圧方向の加重を吸収するようにした構成としたため、中央可動接点が操作されにくくなるので、中央スイッチが誤操作されにくくなる結果、信頼性の高い多方向入力装置を提供することができる。
【００４０】
また、本発明の多方向入力装置の前記中央スイッチは、単体のスイッチ部品から構成され、該中央スイッチが絶縁基板上に載置されて取付られると共に、ステムがキートップによって押圧されて中央スイッチが操作される構成としたため、絶縁基板に簡単に取り付けることができるので、組立性、量産性が良好な多方向入力装置を提供することができる。
【００４１】
また、本発明の多方向入力装置は、ハウジングを備え、キートップは操作部と、該操作部から径方向に延びるフランジ部を有し、キートップは、開口部から露出した状態で収納部に収納され、このキートップの揺動動作時、フランジ部が上壁部の裏面に当接することで、キートップの揺動が規制される構成としたため、必要以上にキートップが揺動しないので、中央スイッチの誤操作される危険性が低減して、信頼性の高い多方向入力装置を提供することができる。
【図面の簡単な説明】
【図１】本発明の多方向入力装置の断面図
【図２】本発明の多方向入力装置の別の角度から見た断面図
【図３】本発明の多方向入力装置にかかる中央スイッチが取り付けられた絶縁基板の上面図
【図４】本発明の多方向入力装置にかかる弾性シートの上面図
【図５】図４の５−５線における断面図
【図６】図４の６−６線における断面図
【図７】本発明の多方向入力装置にかかるキートップの上面図
【図８】図７の８−８線における断面図
【図９】図７の９−９線における断面図
【図１０】本発明の多方向入力装置の動作説明図
【図１１】本発明の多方向入力装置の動作説明図
【図１２】従来の多方向入力装置の分解斜視図
【図１３】従来の多方向入力装置の動作説明図
【符号の説明】
１  絶縁基板
１ａ  通孔
２  周辺固定接点
３  筐体
３ａ  底壁部
３ｂ  端子部
４  中央固定接点
５  中央可動接点
６  ステム（緩衝部材）
７  弾性シート
７ａ  基部
７ｂ  貫通孔
７ｃ  第１の周辺凸部
７ｄ  第２の周辺凸部
７ｅ  突起
７ｆ  貫通部
８  周辺可動接点
９  キートップ
９ａ  操作部
９ｂ  フランジ部
９ｃ  脚部
９ｄ  係合爪
９ｅ  隆起部
１０  ハウジング
１０ａ  上壁部
１０ｂ  側壁部
１０ｃ  収納部
１０ｄ  開口部
Ｓ３  中央スイッチ
Ｓ４  周辺スイッチ
【図１】
0003993404.tif 000002
【図２】
0003993404.tif 000003
【図３】
0003993404.tif 000004
【図４】
0003993404.tif 000005
【図５】
0003993404.tif 000006
【図６】
0003993404.tif 000007
【図７】
0003993404.tif 000008
【図８】
0003993404.tif 000009
【図９】
0003993404.tif 000010
【図１０】
0003993404.tif 000011
【図１１】
0003993404.tif 000012
【図１２】
0003993404.tif 000013
【図１３】
0003993404.tif 000014